(57)【要約】      （修正有）【課題】排水トラップ貯留部の抗菌性を容易に維持できる排水トラップ貯留部を提供する。【解決手段】封水Ｓ１の貯留部１３５を有する排水トラップ１に設けられるヘアキャッチャー１０に、排水トラップ１に対して封水Ｓ１の上に設けられて排水を通過させながら排水中の毛髪Ｈ１を捕集する捕集部材１１と、該捕集部材１１の下部（一時保水部２０）に対して着脱可能に設けられて封水Ｓ１内に挿入されて抗菌性の物質を溶出する抗菌部材７０とを設ける。【選択図】図１
2011168965.tif 000002
【特許請求の範囲】
【請求項１】
封水の貯留部を有する排水トラップに設けられるヘアキャッチャーであって、
前記排水トラップに対して前記封水の上に設けられ、排水を通過させながら排水中の毛髪を捕集する捕集部材と、
前記捕集部材の下部に対して着脱可能に設けられ、前記封水内に挿入されて抗菌性の物質を溶出する抗菌部材とを備えることを特徴とするヘアキャッチャー。
【請求項２】
前記捕集部材は、排水中の毛髪の流出を抑止しながら排水を流出させる排水流出孔を有し、
前記抗菌部材は、前記排水流出孔に対して抜き出し可能に挿入して前記捕集部材に掛止される引掛部を有することを特徴とする請求項１に記載のヘアキャッチャー。
【請求項３】
前記抗菌部材は、前記捕集部材の下部に対して上下逆に取り付け可能とされていることを特徴とする請求項１又は請求項２に記載のヘアキャッチャー。
【請求項４】
前記抗菌部材は、前記捕集部材の下部から前記封水内へ垂下する筒状部材とされ、該筒状部材に該筒状部材の外側から内側へ排水を通す通過孔が形成されていることを特徴とする請求項１〜請求項３のいずれか一項に記載のヘアキャッチャー。
【発明の詳細な説明】
【技術分野】
【０００１】
本発明は、封水の貯留部を有する排水トラップに設けられるヘアキャッチャーに関する。
【背景技術】
【０００２】
浴室等の排水トラップには、毛髪を主とするごみ等の異物を排水中から捕集するヘアキャッチャーが着脱可能に設けられている。このヘアキャッチャーの下側には防臭パイプが存在し、この防臭パイプの下端はトラップ本体の封水貯留部の封水に漬かっている。この封水があるため、防臭パイプや封水貯留部に微生物の作用によってできる粘状物質であるヌメリが付着する。
【０００３】
特許文献１記載の排水トラップは、防臭パイプが上下に２分割され、分割された防臭パイプの下部筒体にヘアキャッチャーが一体化されている。従って、排水トラップからヘアキャッチャーを取り出すと、防臭パイプの下部筒体も取り出され、ヌメリの付いた下部筒体を清掃することができる。
【０００４】
また、特許文献２記載の排水トラップは、ヘアキャッチャーが設けられていないものの、銅製の筒の端部周囲に金型を当てて合成樹脂を射出成形した防臭パイプ（特許文献２の封水筒Ｂ）を有している。当該防臭パイプの銅製の筒部は、封水に漬かっている。これにより、防臭パイプ筒部から寿命でない限り銅が溶出し、防臭パイプの封水に漬かる部分や封水貯留部へのヌメリ（特許文献２のヘドロ状付着物）の発生が抑制されることが期待される。
【先行技術文献】
【特許文献】
【０００５】
【特許文献１】特開２００７−４６４２６号公報
【特許文献２】実用新案登録第３０７８０５７号公報
【発明の概要】
【発明が解決しようとする課題】
【０００６】
特許文献１記載の排水トラップは、防臭パイプ下部筒体や封水貯留部を清掃しても直ぐにヌメリが付着してしまう。また、防臭パイプ下部筒体がヘアキャッチャーに一体化されているので、防臭パイプ下部筒体を交換する際にはヘアキャッチャーも交換しなければならない。
特許文献２記載の排水トラップは、防臭パイプ筒部の銅の抗菌性により防臭パイプ筒部や封水貯留部へのヌメリ発生の抑制が期待される。しかし、射出成形された防臭パイプの銅製筒部は合成樹脂に固着しているため、防臭パイプの銅製筒部が寿命となると、防臭パイプ全体を交換しなければヌメリ発生を抑制することができない。従って、排水トラップ貯留部の抗菌性を維持することが容易ではない。
【０００７】
以上を鑑み、本発明は、排水トラップ貯留部の抗菌性を容易に維持することを目的としている。
【課題を解決するための手段】
【０００８】
上記目的を達成するため、本発明は、封水の貯留部を有する排水トラップに設けられるヘアキャッチャーであって、前記排水トラップに対して前記封水の上に設けられ、排水を通過させながら排水中の毛髪を捕集する捕集部材と、前記捕集部材の下部に対して着脱可能に設けられ、前記封水内に挿入されて抗菌性の物質を溶出する抗菌部材とを備えることを特徴とする。
【０００９】
すなわち、抗菌部材は、捕集部材の下部に取り付けられると、排水トラップの封水内に挿入され、封水中に抗菌性の物質が溶出する。これにより、排水トラップの貯留部や防臭パイプへのヌメリの発生が抑制される。
また、抗菌部材が寿命となっても、寿命となった抗菌部材を捕集部材から外して新たな抗菌部材を捕集部材に取り付けるという簡単な作業により、排水トラップ貯留部の抗菌性が維持される。
【００１０】
各請求項に係る発明において、上記ヘアキャッチャーには、浴室の排水トラップに用いられるヘアキャッチャーの他、洗面化粧台の排水トラップに用いられるヘアキャッチャー、理容店や美容室の排水トラップに用いられるヘアキャッチャー、等も含まれる。
上記排水は、毛髪を含む水とする。
上記捕集部材は、ごみなど毛髪以外の異物も捕集するものも含まれる。
上記抗菌性は、菌の増殖を抑制する性質をいう。抗菌性の物質は、抗菌性を有する物質をいい、銀イオン、銅イオン、亜鉛イオン、ニッケルイオン、等が含まれる。上記抗菌部材は、封水内に挿入されて抗菌性の物質を溶出する部材であればよく、銀イオン等を溶出する種々の部材の他、特開平１１−３４３５９２号公報や特開２０００−１４３４２２号公報に記載されるＮｉ−Ｐ系合金を含む材料等が含まれる。
【００１１】
また、排水中の毛髪の流出を抑止しながら排水を流出させる排水流出孔が捕集部材に設けられている場合、抗菌部材は、排水流出孔に対して抜き出し可能に挿入して捕集部材に掛止される引掛部を有していてもよい。この場合、抗菌部材を着脱させるための構造を捕集部材に別途設ける必要が無いので、着脱可能な抗菌部材を有するヘアキャッチャーが簡易な構造で済む。
なお、上記排水が毛髪を含む水であるので、排水流出孔は、毛髪を含んでいた水が流出する孔を意味する。ここで、排水中の毛髪の流出を抑止する排水流出孔は、全ての毛髪を止めなくても良い。すなわち、抑止は、全てを止めることに限定されない。
【００１２】
さらに、抗菌部材が捕集部材の下部に対して上下逆に取り付け可能とされてもよい。この場合、抗菌性の物質の溶出量が減ったときに抗菌部材を上下逆にして使用することができるので、抗菌部材の寿命が長くなる。
【００１３】
さらに、抗菌部材は、捕集部材の下部から封水内へ垂下する筒状部材とされ、該筒状部材に該筒状部材の外側から内側へ排水を通す通過孔が形成されていてもよい。抗菌部材が防臭パイプ内に挿入される場合、抗菌部材の外側と防臭パイプの内側との間が狭くなることがある。このような場合であっても、捕集部材から抗菌部材の外側へ流出した排水が通過孔から抗菌部材の内側へ通されるので、排水が円滑に排水トラップ貯留部へ導かれる。
ここで、筒状部材とされた抗菌部材には、捕集部材に取り付けるための部位を有するものも含まれる。
【００１４】
なお、上記ヘアキャッチャーを有する排水トラップの発明や、上記ヘアキャッチャーを有する浴室や洗面化粧台等の発明も、上述した作用、効果を奏する。
【発明の効果】
【００１５】
請求項１に係る発明によれば、排水トラップ貯留部の抗菌性を容易に維持することが可能なヘアキャッチャーを提供することができる。
請求項２に係る発明では、着脱可能な抗菌部材を有する簡易な構造のヘアキャッチャーを提供することができる。
請求項３に係る発明では、抗菌部材の寿命を延ばすことができる。
請求項４に係る発明では、抗菌部材が防臭パイプ内に挿入される場合に捕集部材から抗菌部材の外側へ流出した排水を円滑に排水トラップ貯留部へ導くことができる。
【図面の簡単な説明】
【００１６】
【図１】ヘアキャッチャー１０を設けた排水トラップ１を示す垂直断面図である。
【図２】図１に示す排水トラップ１の一部分解斜視図である。
【図３】締め付けフランジ１４０及び防臭パイプ１５０の上面を示す平面図である。
【図４】図１に示すヘアキャッチャー１０の側面図である。
【図５】図１に示す捕集部材１１を下から見て示す底面図である。
【図６】捕集部材１１に対して抗菌部材７０を着脱可能に取り付ける様子を示す斜視図及び側面図である。
【図７】捕集部材１１に対して抗菌部材７０を着脱可能に取り付ける様子を示す斜視図である。
【図８】通過孔７３を形成した抗菌部材７０を有するヘアキャッチャー１０を設けた排水トラップ１を示す垂直断面図である。
【図９】引掛部７５を設けた抗菌部材７０を有するヘアキャッチャー１０を分解して示す垂直断面図である。
【図１０】引掛部７５を設けた抗菌部材７０を有するヘアキャッチャー１０の分解斜視図である。
【図１１】（ａ）は抗菌部材掛止部２５を筒部２５ｉとしたヘアキャッチャーの側面図、（ｂ）は筒部２５ｉを有する捕集部材１１に対して抗菌部材７０を着脱可能に取り付ける様子を示す分解斜視図、である。
【発明を実施するための形態】
【００１７】
（１）排水トラップの構成：
図１は、本発明の一実施形態に係るヘアキャッチャー１０を設けた浴室用排水トラップ１の垂直断面を示している。この浴室は、図示しないシャワーや給湯栓等が設けられた洗い場Ｗ１が浴槽Ｂ１の外側に設けられ、この洗い場Ｗ１の床材１１０の一部が凹んで排水桝１１２が形成されている。この排水桝１１２は、下側の開口部に向かって略水平方向に内側へ延出したフランジ部１１３を有し、上側の開口部にカバー１２０を着脱することができるようにされている。排水トラップ１は、排水桝１１２に取り付けられ、カバー１２０と床材１１０との隙間ＣＬ１から排水桝１１２へ流入した排水を通過させる。本排水トラップ１は、トラップ本体１３０、締め付けフランジ１４０、防臭パイプ１５０、及びヘアキャッチャー１０を備える。
なお、本明細書では、封水Ｓ１の貯留部１３５の上部を構成する部材を封水筒と呼び、この封水筒は、防臭パイプ１５０が内側に挿入される部材であるものとする。
【００１８】
排水桝１１２の四隅には、図２に示すように、カバー１２０を載置するための洗い場側段部１１４ａ，１１４ａ及び浴槽側段部１１４ｂ，１１４ｂが形成されている。カバー１２０の浴槽側縁部１２０ａには、洗い場側へ凹んだ手かけ部１２２が形成されている。
【００１９】
図１に示すように、本実施形態のトラップ本体１３０は、封水Ｓ１の貯留部１３５の上部を構成する封水筒１３０Ｂが本体部材１３０Ａに対して着脱可能に取り付けられている。従って、ユーザーは、封水筒１３０Ｂのみを取り外して清掃することができる。むろん、封水筒と本体部材が分離不能に一体化されたトラップ本体を有する排水トラップにも、本発明を適用可能である。
封水筒１３０Ｂを取り付けたトラップ本体１３０は、上部が開口し、浴槽側の封水筒側壁１３０ａの下部に水平方向へ突出した接続口１３１が形成され、該接続口１３１に対向する位置に水平方向へ突出した排出口１３２が形成されている。接続口１３１は、接続管を介して浴槽の防水パンに接続されている。トラップ本体１３０内では、封水筒側壁１３０ａ，１３０ｂの貯留部上縁部１３０ｃを上限位置とする封水面Ｓ２が形成され、この封水面Ｓ２の下側に防臭パイプ１５０の下部が差し込まれる。また、トラップ本体１３０の上縁部には径方向内側へ延出したフランジ部１３３が形成され、このフランジ部１３３の内周面にねじ部１３３ａが形成されている。
【００２０】
締め付けフランジ１４０は、図１及び図３（ａ）に示すように、トラップ本体のねじ部１３３ａと螺合するねじ部１４１ａを外周面に有する円筒部１４１と、この円筒部１４１の上縁部で径方向外側へ延出した上側フランジ部１４２と、円筒部１４１の下縁部で径方向内側へ延出した下側フランジ部１４３とを備える略環状に形成されている。円筒部１４１の内周面には、９０°間隔で４箇所に上下２つの突起１４１ｂが形成されている。床材のフランジ部１１３の先端部にパッキン１４４を取り付け、このパッキン１４４をトラップ本体のフランジ部１３３とで挟むようにして該フランジ部１３３に締め付けフランジ１４０を螺入すると、床材のフランジ部１１３とトラップ本体１３０とを互いに固定することができる。
【００２１】
防臭パイプ１５０は、封水Ｓ１の上から封水Ｓ１内へ垂下し、上からの排水を内側に通す。図１及び図３（ｂ）に示すように、防臭パイプ１５０は、筒状の本体部１５１と、この本体部１５１の上縁部から径方向外側へ延出したフランジ部１５２とを有する形状に形成されている。フランジ部１５２の外縁部には、９０°間隔で４箇所に切欠１５２ａが形成されている。各切欠１５２ａを締め付けフランジの突起１４１ｂに合わせて締め付けフランジ１４０の開口部に防臭パイプの本体部１５１を挿入し、防臭パイプのフランジ部１５２を締め付けフランジの下側フランジ部１４３に接触させて回転させることにより、トラップ本体１３０内の所定位置に防臭パイプ１５０が固定される。ここで、防臭パイプ１５０の下端とトラップ本体１３０の底面との間に隙間が設けられている。
【００２２】
ヘアキャッチャー１０を設けた排水トラップ１は、例えば、以下のようにして形成される。
まず、床材フランジ部１１３の先端部にパッキン１４４を取り付け、トラップ本体のフランジ部１３３に締め付けフランジ１４０を螺入して床材フランジ部１１３とトラップ本体１３０とを互いに固定する。次に、防臭パイプ１５０を締め付けフランジ１４０に取り付ける。最後に、ヘアキャッチャー１０を締め付けフランジ１４０に取り付けると、排水トラップ１が形成される。
【００２３】
（２）ヘアキャッチャーの構成：
ヘアキャッチャー１０は、捕集部材１１と抗菌部材７０とから構成されている。捕集部材１１は、排水トラップ１に対して封水Ｓ１の上に設けられ、排水を通過させながら排水中の毛髪Ｈ１等のごみを捕集する。抗菌部材７０は、捕集部材１１の下部に対して着脱可能に設けられ、封水Ｓ１内に挿入されて抗菌性の物質を溶出させる。以下、図１〜５及び図６（ａ）を参照して、本実施形態のヘアキャッチャー１０を具体的に説明する。
なお、図４では、締め付けフランジ１４０及び防臭パイプ１５０を二点鎖線で示している。また、図５では、下部排水流出部２２及び排水流出孔群３１を二点鎖線で示すとともに、抗菌部材７０の取り付け位置も二点鎖線で示している。
【００２４】
本実施形態の捕集部材１１は、特開２００９−２０３７７０号公報に記載されるヘアキャッチャーと同様の構成を有し、図１等に示す一時保水部２０と上部排水流出部３０と排水導入部４０を備える。
一時保水部２０は、上部が開口し下方へ凹んだ凹状に形成され、流入した排水を一時的に保水する。図１，４，５に示すように、一時保水部２０は、半球の底に上方へ凸とされた凸部２４を有する凹状とされている。凸部２４を含む一時保水部２０の下部には、排水中の毛髪Ｈ１等の流出を抑止しながら排水を略下方へ流出させる下部排水流出孔２３を複数有する下部排水流出部２２が設けられている。一時保水部２０における下部排水流出部２２の周囲は、下部排水流出孔の無い壁部２１とされ、外側に向かって膨出しながら斜めに立ち上がっている。
【００２５】
上部排水流出部３０は、一時保水部２０を取り囲むように設けられ、一時保水部２０の上部（上縁部２１ａ）から外側に向かって斜めに上がるように延出している。図５に示すように、上部排水流出部３０には、排水中の毛髪Ｈ１等の流出を抑止しながら一時保水部２０に入りきらない排水を流出させる上部排水流出孔３２を複数有する排水流出孔群３１，３１が形成されている。上部排水流出部３０は、一時保水部２０の上部よりも緩やかな傾斜で外側へ延出している。
【００２６】
排水導入部４０は、洗い場Ｗ１からの排水を上部排水流出部３０ではなく、一時保水部２０へ導く。排水導入部４０は、流入部６０と立壁部５０を有し、上から見たときに一時保水部２０内で左回り（一方向）に回転する旋回流が発生するように洗い場Ｗ１からの排水を直接、一時保水部２０内に導入する。
【００２７】
流入部６０は、排水流出孔群３１，３１の間で上部排水流出部の外縁部と一時保水部の上縁部２１ａとを繋ぎ、洗い場Ｗ１からの排水を一時保水部２０へ通す。図２に示すように、流入部６０は、上部排水流出部３０と略同一面内で一時保水部２０を挟む二箇所に設けられ、上部排水流出部外縁部から一時保水部上縁部２１ａに向かって下がっている。
立壁部５０は、図１，２に示すように、洗い場Ｗ１からの排水を通す流入部６０を設けて上部排水流出部３０の外側に配置されている。立壁部５０は、排水流出孔群３１に直接排水が流れ込むことを抑止し、排水を流入部６０だけから一時保水部２０へ流入させるガイド機能を有する。本捕集部材１１は、各排水流出孔群３１，３１の外側となる上部排水流出部３０の外縁部から各立壁部５０，５０が上方へ延出している。
【００２８】
本捕集部材１１の下部となる一時保水部２０には、図４に示すように、抗菌部材７０を着脱可能に取り付けるための抗菌部材掛止部２５が設けられている。本実施形態の抗菌部材掛止部２５は、図５及び図６（ａ）に示すように、下部排水流出部２２の外側で一時保水部２０から下方へ延出した係止片２５ａ，２５ａ及び位置決め片２５ｂ，２５ｂで構成されている。係止片２５ａ，２５ａと位置決め片２５ｂ，２５ｂは、弾性を有する部位とされ、下部排水流出部２２の中心部を中心として交互に９０°間隔で配置されている。相対向した係止片２５ａ，２５ａの先端部の外側は、抗菌部材７０の係止孔７２ａ，７２ａに挿入可能な爪形状とされている。一方、相対向した位置決め片２５ｂ，２５ｂは、爪形状が無く、円筒状の抗菌部材７０を一時保水部２０に取り付ける際のガイドとなる。なお、図６（ａ）では、一時保水部２０の図示を省略している。
【００２９】
捕集部材１１は、図１，４に示すように、上部排水流出部３０の外縁部から下方へ延出した下方延出部４２を有し、締め付けフランジ１４０に対して下方延出部４２が取り付けられるようにされている。この下方延出部４２の下部外側面には、９０°間隔で４箇所に溝４３が形成されている。また、下方延出部４２の下縁部４５には、各溝４３に繋がる切欠部４４が９０°間隔で形成されている。各切欠部４４を締め付けフランジの突起１４１ｂに合わせて締め付けフランジ１４０の開口部に捕集部材１１の下部を挿入し、上下の突起１４１ｂ間に下方延出部の下縁部４５を挿入するように捕集部材１１を回すことにより、抗菌部材７０が防臭パイプ１５０に挿入された状態で捕集部材１１が防臭パイプ１５０の上側、すなわち、封水Ｓ１の上に設けられる。
むろん、捕集部材１１と締め付けフランジ１４０とは種々の嵌合構造により嵌合することができ、切欠部４４及び突起１４１ｂの間隔も１８０°間隔など様々な間隔とすることができる。
【００３０】
上述した捕集部材１１は、熱可塑性樹脂といった樹脂材料、ステンレスといった金属材料、これらの組み合わせ、等、種々の材質とすることができ、樹脂材料や金属材料の成形品等を用いることができる。
【００３１】
抗菌部材７０は、上下方向の長さが封水面Ｓ２から一時保水部２０の最下部（抗菌部材掛止部２５を含まない）までの高さよりも長くされている。本実施形態の抗菌部材７０は、封水Ｓ１に挿入された部分の上下方向の長さが封水Ｓ１に挿入されていない部分の上下方向の長さよりも長くされている。
以上より、抗菌部材７０は、一時保水部２０に取り付けられると、図１に示すように、封水Ｓ１内に挿入され、抗菌性の物質が封水Ｓ１内に溶出する。抗菌部材７０は、封水Ｓ１中で抗菌性の物質を溶出する抗菌材料のみで形成されてもよいが、ステンレスといった金属材料等に抗菌材料をめっきして形成されてもよい。封水中で抗菌性の物質を溶出する抗菌材料は、特開平１１−３４３５９２号公報や特開２０００−１４３４２２号公報に記載されるＮｉ−Ｐ系合金を含む材料が好ましい。このような材料で抗菌部材を形成すると、封水Ｓ１中にＮｉ及びＰが溶出すると考えられ、封水Ｓ１中の菌の増殖が抑制され、防臭パイプ１５０や封水貯留部１３５のヌメリ発生が抑えられる。むろん、封水中で抗菌性の物質を溶出する抗菌材料は、銀イオン、銅イオン、亜鉛イオンといった金属イオンを溶出する金属材料、無機材料、有機材料、等でもよい。
【００３２】
本実施形態の抗菌部材７０は、一時保水部２０から封水Ｓ１内へ垂下する筒状部材とされている。図１，４に示すように、円筒形状とされた抗菌部材７０の外径は、防臭パイプ本体部１５１の内径よりも小さくされている。図６（ａ）に示すように、抗菌部材７０の上端部７０ａ側には、捕集部材の係止片２５ａ，２５ａを係止するための係止孔７２ａ，７２ａが形成されている。各係止孔７２ａ，７２ａは、筒状抗菌部材７０の内外を貫通した孔とされている。
【００３３】
以上より、筒状抗菌部材７０の上端部７０ａの内側に抗菌部材掛止部２５の各部位２５ａ，２５ａ，２５ｂ，２５ｂを入れ、弾性変形した係止片２５ａ，２５ａを係止孔７２ａ，７２ａに挿入させると、抗菌部材７０が一時保水部２０に取り付けられる。抗菌部材７０を取り付けたヘアキャッチャー１０を排水トラップ１に取り付けると、抗菌部材７０は、図１に示すように、上端部７０ａが封水面Ｓ２よりも上側となるものの、下端部７０ｂが封水Ｓ１内に入った状態となる。
一方、排水トラップ１からヘアキャッチャー１０を取り外し、捕集部材１１から抗菌部材７０を引き離すように引っ張ると、捕集部材の係止片２５ａ，２５ａが弾性変形し、抗菌部材の係止孔７２ａ，７２ａから係止片２５ａ，２５ａが抜け、捕集部材１１から抗菌部材７０を外すことができる。従って、抗菌部材が寿命となったとき、捕集部材１１に取り付ける抗菌部材を交換するのが容易であり、交換後の抗菌部材で防臭パイプ１５０や封水貯留部１３５のヌメリ発生を抑制する効果を持続させることができる。
【００３４】
なお、洗い場Ｗ１で生じた排水は、カバー１２０の周囲から排水桝１１２に流入し、立壁部５０，５０により排水流出孔群３１，３１に直接流れ込むことが抑止され、流入部６０から一時保水部２０に流入する。一時保水部２０内に流入する排水は、凸部２４の中心から水平方向へずれた位置に向かうので、一時保水部２０で一時的に保水されながら一方向に旋回し、毛髪Ｈ１等の異物が一時保水部２０内で浮遊しながら旋回して集まる。また、一時保水部２０内の排水は、毛髪Ｈ１等の流出が抑止されながら下部排水流出部２２から下方へ流出し、流れ方向Ｄ１で示すように、筒状抗菌部材７０の内側を通って封水面Ｓ２に落下する。一時保水部２０内に集まった毛髪Ｈ１等は、凸部２４に支えられて一時保水部２０底部との接触面積が少なくなっており、捨てる際に一時保水部２０から離れ易くなっている。
下部排水流出部２２の排水流出流量を超える排水が一時保水部２０に流入すると、排水は、一時保水部２０に入りきらず上縁部２１ａを超える。上部排水流出部３０の排水は、毛髪Ｈ１等の流出が抑止されながら排水流出孔群３１，３１から下方へ流出し、流れ方向Ｄ２で示すように、防臭パイプ１５０の内側と筒状抗菌部材７０の外側との間を通って封水面Ｓ２に落下する。
【００３５】
（３）ヘアキャッチャーの作用、効果：
次に、本ヘアキャッチャー１０の作用、効果を説明する。
捕集部材の一時保水部２０に抗菌部材７０を取り付けてヘアキャッチャー１０を排水トラップ１に取り付けると、抗菌部材７０は、図１に示すように封水Ｓ１内に挿入され、封水Ｓ１中で抗菌性の物質が溶出する。すると、封水Ｓ１中の菌の増殖が抑制され、封水貯留部１３５の内面や、封水Ｓ１に差し込まれた部分の防臭パイプ１５０の内面及び外面に対するヌメリの発生が抑制される。
【００３６】
抗菌部材７０を長期間使用していると、抗菌部材７０の抗菌材料が減少し、抗菌性の物質が溶出しなくなることが想定される。ヌメリ付着の防止機能を維持するためには、抗菌部材７０を定期交換することが好ましい。
ここで、実用新案登録第３０７８０５７号公報に記載される排水トラップのように、銅製筒部の端部周囲に金型を当てて合成樹脂を射出成形した防臭パイプを使用していると、銅製筒部を交換する際には防臭パイプ全体を交換しなければならない。防臭パイプ全体を交換するにはコストが高く、結果として寿命となった筒部が使用され、排水トラップ貯留部や防臭パイプに多くのヌメリが付着することにもなる。
【００３７】
本ヘアキャッチャー１０の場合、例えば、以下のようにして抗菌部材７０を交換することができる。
まず、カバー１２０を外し、ヘアキャッチャー１０を回して締め付けフランジ１４０から取り外す。次に、寿命となった抗菌部材７０を捕集部材１１から外し、新たな抗菌部材７０を捕集部材１１に取り付ける。そして、交換後の抗菌部材７０を有するヘアキャッチャー１０を回して締め付けフランジ１４０に取り付け、排水桝の段部１１４にカバー１２０を載せると、抗菌部材７０の交換作業が終了する。このとき、抗菌部材７０は、封水Ｓ１内に挿入されている。
このように、抗菌部材７０が寿命となっても、簡単な作業で抗菌部材７０のみを交換することができ、交換後の抗菌部材７０から溶出する抗菌性の物質により封水貯留部１３５の抗菌性が維持される。
以上より、本ヘアキャッチャーは、排水トラップ貯留部の抗菌性を容易に維持することが可能であるという、有用な効果を奏する。
【００３８】
（４）変形例：
本発明を適用可能な洗い場は、浴室の洗い場以外にも、洗面化粧台の排水トラップに繋がる洗面台、理容店や美容室の排水トラップに繋がる洗面台、等でもよい。
また、排水トラップに封水貯留部がある限り、上述した排水トラップを構成する部材の一部が無いような排水トラップにも、本発明を適用可能である。
さらに、本発明のヘアキャッチャーは、種々の変形例が考えられる。
例えば、ヘアキャッチャーには、捕集部材及び抗菌部材以外の第三の部材が取り付けられてもよい。
捕集部材を構成する各部は、全て一体化されていてもよいし、独立した部材で構成されてもよい。
捕集部材には、把手等の部位が設けられてもよい。
一時保水部や排水導入部の無い種々の捕集部材の下部に対して抗菌部材を着脱可能に設けても、本発明のヘアキャッチャーとすることができる。捕集部材の排水流出部は、複数の排水流出孔２３，３２で構成される以外にも、繊維や針金等を編んで形成した網等で構成されてもよい。
抗菌部材は、円筒状以外にも、断面楕円形の筒状、断面多角形の筒状、板状、線状、等の形状とされてもよい。また、捕集部材に設けた排水流出部からの排水の流出が確保される限り、抗菌部材は、円柱状等、中実とされてもよい。
また、抗菌部材は、分割可能な複数の部材で構成されてもよい。
【００３９】
捕集部材に対する抗菌部材の取り付け構造も、種々の変形例が考えられる。
上述した実施形態では抗菌部材掛止部を構成する係止片及び位置決め片の外側に抗菌部材を掛止しているが、係止片及び位置決め片の内側に抗菌部材を掛止してもよい。
上記位置決め片の代わりに係止片を設け、この係止片を係止するための係止孔をさらに抗菌部材に形成してもよい。
【００４０】
図６（ｂ）は、図６（ａ）で示した係止片２５ａ，２５ａの代わりにＬ状の掛止片２５ｃ，２５ｃを設けた捕集部材１１に対して着脱可能に円筒状の抗菌部材７０を取り付けるようにした変形例を示す分解斜視図である。本変形例に係る捕集部材１１の抗菌部材掛止部は、下部排水流出部２２の外側で一時保水部２０から下方へ延出した掛止片２５ｃ，２５ｃ及び位置決め片２５ｂ，２５ｂで構成されている。相対向した掛止片２５ｃ，２５ｃの先端部は、外側へ折れ曲がっている。筒状の抗菌部材７０には、上端部７０ａに繋がり掛止片２５ｃ，２５ｃが挿入される切欠７２ｃ，７２ｃが形成されている。
掛止片２５ｃ，２５ｃの位置に切欠７２ｃ，７２ｃを合わせて抗菌部材７０の上端部７０ａの内側に抗菌部材掛止部の各部位２５ｃ，２５ｃ，２５ｂ，２５ｂを入れ、抗菌部材７０を固定する向きに回すことにより、抗菌部材７０が一時保水部２０に取り付けられる。また、捕集部材１１に取り付けられた抗菌部材７０を外す向きに回し、捕集部材１１から抗菌部材７０を引き離すように引っ張ると、捕集部材１１から抗菌部材７０を外すことができる。なお、図６（ｂ）においても、一時保水部２０の図示を省略している。
【００４１】
図６（ｃ）は、一時保水部２０に雄ねじ部２５ｄを設けた捕集部材１１に対して着脱可能に円筒状の抗菌部材７０を取り付けるようにした変形例を示す分解側面図である。本変形例に係る捕集部材１１の抗菌部材掛止部は、下部排水流出部２２の外側で一時保水部２０から下方へ延出した円筒状の雄ねじ部２５ｄで構成されている。筒状の抗菌部材７０の内側には、雄ねじ部２５ｄと螺合する雌ねじ部７２ｄが上端部７０ａ側に形成されている。
雄ねじ部２５ｄの位置に上端部７０ａを合わせて抗菌部材７０を固定する向きに回すと、雄ねじ部２５ｄと雌ねじ部７２ｄとが螺合し、抗菌部材７０が一時保水部２０に取り付けられる。また、抗菌部材７０を外す向きに回すと、捕集部材１１から抗菌部材７０を外すことができる。
【００４２】
図６（ｄ）は、一時保水部２０に外嵌部２５ｅを設けた捕集部材１１に対して着脱可能に円筒状の抗菌部材７０を取り付けるようにした変形例を示す分解側面図である。本変形例に係る捕集部材１１の抗菌部材掛止部は、下部排水流出部２２の外側で一時保水部２０から下方へ延出した円筒状の外嵌部２５ｅと、この外嵌部２５ｅに外嵌されたＯリング２５ｆとで構成されている。筒状の抗菌部材７０の内側には、Ｏリング２５ｆに合わせた溝７２ｆが形成されている。
外嵌部２５ｅの位置に上端部７０ａを合わせて抗菌部材７０を捕集部材１１に向かって押すと、弾性変形したＯリング２５ｆが捕集部材の溝７２ｆに入り、抗菌部材７０が一時保水部２０に取り付けられる。また、捕集部材１１から抗菌部材７０を引き離すように引っ張ると、Ｏリング２５ｆが弾性変形し、捕集部材１１から抗菌部材７０を外すことができる。
【００４３】
なお、捕集部材１１に溝７２ｆが形成されていなくても、Ｏリング２５ｆが弾性変形した状態で捕集部材１１に抗菌部材７０が取り付けられる。また、Ｏリング２５ｆの代わりに他のシールを用いてもよい。
【００４４】
図７（ａ）は、円筒状の抗菌部材７０を圧入させるための複数の挿入部２５ｇを設けた捕集部材１１に対して着脱可能に抗菌部材７０を取り付けるようにした変形例を示す分解斜視図である。本変形例に係る捕集部材１１の抗菌部材掛止部は、下部排水流出部２２の外側で一時保水部２０から下方へ延出した四箇所の弾性を有する挿入部２５ｇで構成されている。一方、筒状の抗菌部材７０には、挿入部２５ｇを係止させるための形状が形成されていない。
抗菌部材７０の内側７０ｉに四箇所の挿入部２５ｇを圧入すると、抗菌部材７０が一時保水部２０に取り付けられる。また、捕集部材１１から抗菌部材７０を引き離すように引っ張ると、捕集部材１１から抗菌部材７０を外すことができる。なお、図７（ａ）においても、一時保水部２０の図示を省略している。
【００４５】
本変形例の抗菌部材７０は、係止孔等が不要であるため、捕集部材１１の下部（一時保水部２０）に対して上下逆に取り付け可能である。
例えば、抗菌部材７０の符号７０ａ側を捕集部材１１に取り付けて排水トラップを使用している場合、図１を参照して説明すると、抗菌部材７０は、封水Ｓ１に漬かっている部分から抗菌性の物質を封水Ｓ１中に溶出させる。一方、封水面Ｓ２から上側の部分からは、ほとんど抗菌性の物質が溶出しない。ここで、抗菌部材７０の符号７０ｂ側から抗菌性の物質がほとんど溶出しなくなったとき、捕集部材１１から抗菌部材７０を一旦外し、抗菌部材７０の符号７０ｂ側を捕集部材１１に取り付けて排水トラップを使用することにする。すると、今まで封水Ｓ１に漬かっていなかった抗菌部材７０の符号７０ａ側から抗菌性の物質が封水Ｓ１中に溶出する。
【００４６】
以上説明したように、本変形例は、封水Ｓ１に漬かっていた部分の抗菌部材７０から溶出する抗菌性の物質が少なくなったときに抗菌部材７０を上下逆にして使用することができるので、抗菌部材７０の寿命を延ばすことができる。
なお、上述した挿入部２５ｇの代わりに、抗菌部材７０の外側を掛止する複数の挟持部を捕集部材１１に設けてもよい。この場合、複数の挟持部の間に抗菌部材７０を圧入すると、抗菌部材７０が一時保水部２０に対して着脱可能に取り付けられる。
【００４７】
図７（ｂ）は、円筒状の挿入部２５ｈを圧入させるために抗菌部材７０の上端部７０ａに複数の切欠７２ｈを設けた変形例を示す分解斜視図である。本変形例に係る捕集部材１１の抗菌部材掛止部は、下部排水流出部２２の外側で一時保水部２０から下方へ延出した筒状の挿入部２５ｈで構成されている。筒状の抗菌部材７０の上端部７０ａは、複数の切欠７２ｈが形成されることにより弾性変形可能とされ、挿入部２５ｈを挟持可能とされている。捕集部材の挿入部２５ｈには、抗菌部材の上端部７０ａを係止させるための形状が形成されていない。
抗菌部材の上端部７０ａの内側７０ｉに挿入部２５ｈを圧入すると、抗菌部材７０が一時保水部２０に取り付けられる。また、捕集部材１１から抗菌部材７０を引き離すように引っ張ると、捕集部材１１から抗菌部材７０を外すことができる。
むろん、挿入部２５ｈの内側に抗菌部材の上端部７０ａが圧入されるようにされてもよい。なお、図７（ｂ）においても、一時保水部２０の図示を省略している。
【００４８】
図７（ｃ）は、下端部７０ｂ側にも係止孔７２ａ，７２ａを形成した円筒状の抗菌部材７０を捕集部材１１に対して着脱可能に取り付けるようにした変形例を示す分解斜視図である。本変形例に係る捕集部材１１の抗菌部材掛止部は、図６（ａ）で示した係止片２５ａ，２５ａ及び位置決め片２５ｂ，２５ｂで構成されている。
本変形例の抗菌部材７０は、符号７０ａ側と符号７０ｂ側の両方を捕集部材１１に取り付けることができる。すなわち、本抗菌部材７０は、一時保水部２０に対して上下逆に取り付け可能とされている。本変形例でも、抗菌性の物質の溶出量が減ったときに抗菌部材７０を上下逆にして使用することができるので、抗菌部材７０の寿命を延ばすことができる。なお、図７（ｃ）においても、一時保水部２０の図示を省略している。
【００４９】
図７（ｄ）は、円筒状の抗菌部材７０に該抗菌部材７０の外側から内側７０ｉへ排水を通す通過孔７３を設けた変形例を示す分解斜視図である。本変形例に係る捕集部材１１の抗菌部材掛止部も、図６（ａ）で示した係止片２５ａ，２５ａ及び位置決め片２５ｂ，２５ｂで構成されている。抗菌部材７０は、一時保水部２０から封水Ｓ１内へ垂下する筒状部材とされ、該筒状部材に内外を貫通した複数の通過孔７３が形成されている。なお、図７（ｄ）においても、一時保水部２０の図示を省略している。
【００５０】
図８は、通過孔７３を形成した抗菌部材７０を有するヘアキャッチャー１０を設けた排水トラップ１の垂直断面を示している。図８に示すように、一時保水部２０に取り付けられた抗菌部材７０の外側と防臭パイプ１５０の内側との間が狭くなることがある。この場合、抗菌部材７０に通過孔７３が無ければ、上部排水流出部３０から流出した排水が流れ方向Ｄ２へ落下し難くなることがある。本変形例の抗菌部材７０は、内外に貫通した通過孔７３が形成されているので、捕集部材１１から抗菌部材７０の外側へ流出した排水が通過孔７３から抗菌部材７０の内側へ通される。
以上より、本変形例では、捕集部材１１から抗菌部材７０の外側へ流出した排水を円滑に封水貯留部１３５へ導くことができる。
【００５１】
図９は、引掛部７５を設けた円筒状の抗菌部材７０を有するヘアキャッチャー１０を分解して示す垂直断面図である。上述したように、捕集部材１１は、排水中の毛髪の流出を抑止しながら排水を流出させる排水流出孔２３を有している。本変形例の抗菌部材７０は、排水流出孔２３に対して抜き出し可能に挿入して捕集部材１１に掛止される引掛部７５を有している。すなわち、本抗菌部材７０は、筒形状の筒部７１と、この筒部７１の上端部７０ａから上方へ突出した引掛部７５，７５とから構成されている。各引掛部７５は、排水流出孔２３に挿入可能な太さとされ、排水流出孔２３の周囲に引っ掛かるように湾曲部分が形成されている。
図９に示す抗菌部材７０には２本の引掛部７５が設けられているが、抗菌部材７０に設ける引掛部の数は、１本でもよいし、３本以上でもよい。また、引掛部７５は、抗菌性の物質を溶出する材料で形成されてもよいし、抗菌性の物質を溶出しない材料で形成されてもよい。
【００５２】
引掛部７５，７５を挿入する排水流出孔２３，２３に引掛部７５，７５を入れ、抗菌部材７０を捕集部材１１に向かって押すと、引掛部７５，７５が弾性変形して排水流出孔２３，２３に係止され、抗菌部材７０が一時保水部２０に取り付けられる。また、捕集部材１１に取り付けられた抗菌部材７０を引き離すように引っ張ると、引掛部７５，７５が弾性変形して排水流出孔２３，２３から抜け、捕集部材１１から抗菌部材７０を外すことができる。
以上説明したように、本変形例のヘアキャッチャー１０は、抗菌部材７０を着脱させるための構造を捕集部材１１に別途設ける必要が無いので、簡易な構造で済む。
【００５３】
引掛部７５を有する抗菌部材７０は、種々の捕集部材に取り付けることが可能である。
図１０は、引掛部７５を設けた円筒状の抗菌部材７０を有するヘアキャッチャー１０の分解斜視図である。本変形例の捕集部材１２は、上述した一時保水部２０を有する捕集部材１１よりも平たくされ、多数の排水流出孔２６が全体に形成されている。本変形例でも、引掛部７５，７５を挿入する排水流出孔２６，２６に引掛部７５，７５を入れ、抗菌部材７０を捕集部材１２に向かって押すと、引掛部７５，７５が弾性変形して排水流出孔２６，２６に係止され、抗菌部材７０が捕集部材１２の下部に対して着脱可能に取り付けられる。従って、本変形例のヘアキャッチャー１０も、抗菌部材７０を着脱させるための構造を捕集部材１２に別途設ける必要が無いので、簡易な構造で済む。
【００５４】
なお、抗菌部材の引掛部を係止可能な捕集部材には、繊維や針金等を編んで形成した網を排水流出部とした捕集部材等を用いてもよい。捕集部材の形状は、中央部分が下がった形状のみならず、中央部分が上がった形状、ほぼ平らな形状、等とされてもよい。
また、抗菌部材の引掛部を係止するための専用の孔を捕集部材に設けてもよい。この場合、抗菌部材を着脱させるための構造を捕集部材に設ける必要があるものの、抗菌部材を簡単に交換することができ、排水トラップ貯留部の抗菌性を容易に維持することが可能であるという効果が得られる。
【００５５】
図１１（ａ）は抗菌部材掛止部２５を筒部２５ｉとしたヘアキャッチャー１０の側面を示し、図１１（ｂ）は筒部２５ｉを有する捕集部材１１に対して抗菌部材７０を着脱可能に取り付ける様子を示している。本変形例の筒部２５ｉは、下端部の外側に抗菌部材７０の下端部７０ｂを係止する爪部２５ｊ，２５ｊが形成されている。これらの爪部２５ｊ，２５ｊが容易に弾性変形するように、筒部２５ｉには各爪部２５ｊ，２５ｊの両側にスリット２５ｋを形成している。各スリット２５ｋは、筒部２５ｉの下縁部から途中まで上方へ向かう向きとされている。
【００５６】
以上より、筒状抗菌部材７０の上端部７０ａの内側７０ｉに筒部２５ｉの下縁部を入れ、弾性変形した爪部２５ｊ，２５ｊを抗菌部材の下端部７０ｂに係止させると、抗菌部材７０が一時保水部２０に取り付けられる。一方、抗菌部材の下端部７０ｂに係止している爪部２５ｊ，２５ｊを内側へ押し、捕集部材１１から抗菌部材７０を引き離すように引っ張ると、捕集部材１１から抗菌部材７０を外すことができる。従って、本変形例でも、抗菌部材を簡単に交換することができ、排水トラップ貯留部の抗菌性を容易に維持することが可能であるという効果が得られる。
本変形例でも、抗菌部材７０の外側を掛止するように筒部を捕集部材１１に設けてもよい。この場合、筒部の間に抗菌部材７０を挿入すると、抗菌部材７０が一時保水部２０に対して着脱可能に取り付けられる。
【００５７】
なお、封水の上に設けられる捕集部材と、該捕集部材の下部に対して着脱可能に設けられ封水内に挿入されて抗菌性の物質を溶出する抗菌部材と、の２部材のみから構成されるヘアキャッチャーであっても、排水トラップ貯留部の抗菌性を容易に維持することが可能である。
すなわち、従属請求項に係る構成要件を有しておらず独立請求項に係る構成要件のみからなるヘアキャッチャーでも、上述した基本的な作用、効果が得られる。
以上説明したように、本発明によると、種々の態様により、排水トラップ貯留部の抗菌性を容易に維持することが可能な技術を提供することができる。
また、上述した実施形態及び変形例の中で開示した各構成を相互に置換したり組み合わせを変更したりして本発明を実施することも可能であり、公知技術並びに上述した実施形態及び変形例の中で開示した各構成を相互に置換したり組み合わせを変更したりして本発明を実施することも可能である。従って、本発明は、上述した実施形態や変形例に限られず、公知技術並びに上述した実施形態及び変形例の中で開示した各構成を相互に置換したり組み合わせを変更したりした構成等も含まれる。
【符号の説明】
【００５８】
１…排水トラップ、
１０…ヘアキャッチャー、１１，１２…捕集部材、
２０…一時保水部（捕集部材の下部）、
２２…下部排水流出部、２３…下部排水流出孔、
２５…抗菌部材掛止部、２５ａ…係止片、２５ｂ…位置決め片、２５ｃ…掛止片、
２５ｄ…雄ねじ部、２５ｅ…外嵌部、２５ｆ…Ｏリング、
２５ｇ，２５ｈ…挿入部、２５ｉ…筒部、２５ｊ…爪部、２５ｋ…スリット、
２６…排水流出孔、
３０…上部排水流出部、３１…排水流出孔群、３２…上部排水流出孔、
４０…排水導入部、
７０…抗菌部材、
７０ａ…上端部、７０ｂ…下端部、７０ｉ…内側、
７１…筒部、
７２ａ…係止孔、７２ｃ…切欠、７２ｄ…雌ねじ部、７２ｆ…溝、７２ｈ…切欠、
７３…通過孔、
７５…引掛部、
１１０…床材、１１２…排水桝、１２０…カバー、
１３０…トラップ本体、１３０Ａ…本体部材、１３０Ｂ…封水筒、
１３０ａ，１３０ｂ…封水筒側壁、１３０ｃ…貯留部上縁部、
１３５…貯留部、
１４０…締め付けフランジ、
１５０…防臭パイプ、１５１…本体部、１５２…フランジ部、
Ｂ１…浴槽、Ｈ１…毛髪、Ｓ１…封水、Ｓ２…封水面、Ｗ１…洗い場。
【図１】
2011168965.tif 000003
【図２】
2011168965.tif 000004
【図３】
2011168965.tif 000005
【図４】
2011168965.tif 000006
【図５】
2011168965.tif 000007
【図６】
2011168965.tif 000008
【図７】
2011168965.tif 000009
【図８】
2011168965.tif 000010
【図９】
2011168965.tif 000011
【図１０】
2011168965.tif 000012
【図１１】
2011168965.tif 000013